(57)【要約】【課題】有機色素を用いた光ディスクに対して記録を行う際に、アシンメトリ値やβ値とメインパワーＰｗとの関係が適切な直線で表されるようにする。【解決手段】本光ディスク記録方法は、書き込みを行う対象の光ディスクが有機色素を用いた光ディスクであるか判断するステップと、当該光ディスクが有機色素を用いた光ディスクであると判断された場合には、スペース形成に必要なスペース形成パワーＰｓが、バイアスパワーＰｂｗより小さくなるようにレーザを制御する制御ステップとを含む。Ｐｓ＜Ｐｂｗという関係を満たす場合には、アシンメトリ値やβ値とメインパワーＰｗとの関係が好ましい直線で表されるようになる。従って、アシンメトリ値やβ値を評価指標としてメインパワーＰｗの制御を行うことができ、外乱などに容易に対処することができるようになる。【選択図】図１４
2009245592.tif 000002
【特許請求の範囲】
【請求項１】
書き込みを行う対象の光ディスクが有機色素を用いた光ディスクであるか判断するステップと、
前記光ディスクが有機色素を用いた光ディスクであると判断され且つ記録速度が１倍速である場合には、１倍速記録におけるスペース形成に必要なスペース形成パワーＰｓ1及び１倍速記録におけるバイアスパワーＰｂｗ1を用いてデータ記録を行うステップと、
前記光ディスクが有機色素を用いた光ディスクであると判断され且つ記録速度が前記１倍速記録の２倍速以上である場合には、当該記録速度におけるスペース形成に必要なスペース形成パワーＰｓ2及び当該記録速度におけるバイアスパワーＰｂｗ2を用いてデータ記録を行うステップと、
を含み、
Ｐｓ1／Ｐｂｗ1＞Ｐｓ2／Ｐｂｗ2
が成り立つようにＰｓ1、Ｐｂｗ1、Ｐｓ2及びＰｂｗ2が設定される
光ディスク記録方法。
【請求項２】
書き込みを行う対象の光ディスクが有機色素を用いた光ディスクであるか判断する手段と、
前記光ディスクが有機色素を用いた光ディスクであると判断された場合には、１倍速記録におけるスペース形成に必要なスペース形成パワーＰｓ1と、１倍速記録におけるバイアスパワーＰｂｗ1と、前記１倍速記録の２倍速以上の記録におけるスペース形成に必要なスペース形成パワーＰｓ2と、前記１倍速記録の２倍速以上の記録におけるバイアスパワーＰｂｗ2とを、
Ｐｓ1／Ｐｂｗ1＞Ｐｓ2／Ｐｂｗ2
が成り立つように制御する制御手段と、
を有する光ディスク記録再生装置。
【請求項３】
有機色素を用いた光ディスクであって、
１倍速記録におけるスペース形成に必要なスペース形成パワーＰｓ1を設定するためのパラメータεps1と、１倍速記録におけるバイアスパワーＰｂｗ1を設定するためのパラメータεbw1と、前記１倍速記録の２倍速以上の記録におけるスペース形成に必要なスペース形成パワーＰｓ2を設定するためのパラメータεps2と、前記１倍速記録の２倍速以上の記録におけるバイアスパワーＰｂｗ2を設定するためのパラメータεbw2とを格納しており、
前記パラメータεps1、εbw1、εps2及びεbw2が、
εps1／εbw1＞εps2／εbw2
が成り立つパラメータである
光ディスク。
【請求項４】
書き込みを行う対象の光ディスクが有機色素を用いた光ディスクであるか判断するステップと、
前記光ディスクが有機色素を用いた光ディスクであると判断され且つ記録速度が１倍速である場合には、１倍速記録におけるバイアスパワーＰｂｗ1を用いてデータ記録を行うステップと、
前記光ディスクが有機色素を用いた光ディスクであると判断され且つ記録速度が前記１倍速記録の２倍速以上である場合には、当該記録速度におけるバイアスパワーＰｂｗ2を用いてデータ記録を行うステップと、
を含み、
前記Ｐｂｗ1＜Ｐｂｗ2
が成り立つようにＰｂｗ1及びＰｂｗ2が設定される
光ディスク記録方法。
【請求項５】
書き込みを行う対象の光ディスクが有機色素を用いた光ディスクであるか判断する手段と、
前記光ディスクが有機色素を用いた光ディスクであると判断された場合には、１倍速記録におけるバイアスパワーＰｂｗ1と、前記１倍速記録の２倍速以上の記録におけるバイアスパワーＰｂｗ2とを、
Ｐｂｗ1＜Ｐｂｗ2
が成り立つように制御する制御手段と、
を有する光ディスク記録再生装置。
【請求項６】
有機色素を用いた光ディスクであって、
１倍速記録におけるバイアスパワーＰｂｗ1を設定するためのパラメータεbw1と、前記１倍速記録の２倍速以上の記録におけるバイアスパワーＰｂｗ2を設定するためのパラメータεbw2とを格納しており、
前記パラメータεbw1及びεbw2が、
εbw1＜εbw2
が成り立つパラメータである
光ディスク。
【発明の詳細な説明】
【技術分野】
【０００１】
本発明は、有機色素を用いた光ディスクに対するデータ記録を適切に行うための技術に関する。
【背景技術】
【０００２】
無機材料を用いた光ディスク（例えばＢｌｕ−ｒａｙ規格の記録用光ディスク）については、従来どおりのストラテジで記録を行うと例えば図１に示すような特性が得られる。具体的には、横軸はメインパワー（マーク形成時の記録パワー）Ｐｗを表しており、左側の縦軸はＤＣＪ（ＤＣジッタ［％］。塗りつぶされた菱形を結ぶカーブ）を表しており、右側の縦軸はアシンメトリ値（Ａｓｙｍ。白抜き矩形を結ぶカーブ。）を表している。なお、ＤＣＪは、ＲＦ信号を二値化した二値化ＲＦ信号と当該二値化ＲＦ信号から生成したクロック信号との位相差の標準偏差である。また、アシンメトリ値は、ＲＦ信号における最短記録マーク及び最短スペースと最長記録マーク及び最長スペースとの振幅の対称性を表す評価指標である。
【０００３】
図１を見れば、ＤＣＪは、メインパワーＰｗが約５．４ｍＷの際に最小となる２次関数のようなカーブとなっており、アシンメトリ値は、メインパワーＰｗが増加するにつれてほぼ線形に増加する。このような無機材料を用いた光ディスクについては、アシンメトリ値（又はβ値。アシンメトリ値とβ値のいずれかを用いるかは任意。以下同じ。）を検出して問題がある場合には、メインパワーＰｗを図１に示しているようなカーブに従って調整すれば、所望のアシンメトリ値（又はβ値）を得ることができるようになる。よって、例えばＷＯＰＣ（Walking ＯＰＣ（Optimum Power Control））などにおいて、アシンメトリ値を評価指標としてメインパワーＰｗの制御を行って、記録材料の膜厚、反射膜厚、板厚、反り等のディスク内外差による外乱や、レーザダイオードの温度変化やサーボ動作等のドライブの外乱に対処できる。
【０００４】
一方、有機色素を用いた光ディスクについては、従来どおりのストラテジ等で記録を行うと例えば図２に示すような特性が得られる。横軸及び縦軸については、図１と同様である。ＤＣＪは、値は異なるが無機材料の場合と同様に有機色素の場合にもほぼ２次関数のようなカーブとなっているが、アシンメトリ値については、図１に示した無機材料の時のような線形性は見出されない。すなわち、アシンメトリ値（又はβ値）では、適切なメインパワーＰｗが設定されているか否かを判断することができないことになってしまう。
【０００５】
なお、特開２００３−３２３７１７号公報には、光情報記録媒体の記録面上における熱蓄積や熱拡散の影響を抑制して記録精度をより向上させるために、光情報記録媒体上に記録パルスを照射する光情報記録装置において、光情報記録媒体に記録マークを形成して情報を記録するときに、記録パルスのパワーを記録マークを形成するために必要なライトパワーとバイアスパワーとの間で変化させ、バイアスパワーを記録マークを再生するために必要なリードパワーよりも低くするような技術が開示されている。しかし、上記のような問題を解決するようなものではない。
【先行技術文献】
【特許文献】
【０００６】
【特許文献１】特開２００３−３２３７１７号公報
【発明の概要】
【発明が解決しようとする課題】
【０００７】
上で述べたように、有機色素を用いた光ディスクを採用する際には、従来どおりのストラテジ等を採用していたのでは、アシンメトリ値又はβ値を評価指標として、上で述べたような外乱などに対処できないという問題がある。
【０００８】
さらに、アシンメトリ値やβ値の検出精度が低い場合には、アシンメトリ値やβ値とメインパワーＰｗとの関係を表す直線の傾きが大きい必要がある。また、アシンメトリ値やβ値とメインパワーＰｗとの関係を表す直線の線形性が崩れないようにしなければならない。
【０００９】
従って、本発明の目的は、有機色素を用いた光ディスクに対して記録を行う際に、アシンメトリ値やβ値とメインパワーＰｗとの関係が適切な直線で表されるようにするための技術を提供することである。
【００１０】
また、本発明の他の目的は、有機色素を用いた光ディスクに対して記録を行う際に、アシンメトリ値やβ値とメインパワーＰｗとの関係を表す直線の線形性を保持させるための技術を提供することである。
【課題を解決するための手段】
【００１１】
本発明の第１の態様に係る光ディスク記録方法は、書き込みを行う対象の光ディスクが有機色素を用いた光ディスクであるか判断するステップと、当該光ディスクが有機色素を用いた光ディスクであると判断された場合には、スペース形成に必要なスペース形成パワーＰｓが、バイアスパワーＰｂｗ以下になるようにレーザを制御する制御ステップとを含む。本願発明者の非自明な知見によれば、Ｐｓ≦Ｐｂｗという関係を満たす場合には、アシンメトリ値やβ値とメインパワーＰｗとの関係が好ましい直線で表されるようになる。従って、アシンメトリ値やβ値を評価指標としてメインパワーＰｗの制御を行うことができ、外乱などに容易に対処することができるようになる。すなわち、適切なデータ記録を有機色素を用いた光ディスクに対しても実施することができるようになる。
【００１２】
なお、上で述べた制御ステップが、記録速度が一倍速記録の二倍速以上である場合に実行されるようにしてもよい。Ｂｌｕ−ｒａｙ規格では、１倍速については、Ｐｓ＞Ｐｂｗという条件が規定されているので、Ｂｌｕ−ｒａｙ規格の場合には２倍速以上について制御ステップを実施すればよい。
【００１３】
本発明の第２の態様に係る光ディスク記録再生装置は、書き込みを行う対象の光ディスクが有機色素を用いた光ディスクであるか判断する手段と、当該光ディスクが有機色素を用いた光ディスクであると判断された場合には、スペース形成に必要なスペース形成パワーＰｓが、バイアスパワーＰｂｗ以下になるようにレーザを制御する制御手段とを有する。ＰｓやＰｂｗを決定するためのパラメータは、光ディスク記録再生装置のメモリに格納されている場合もある。
【００１４】
本発明の第３の態様に係る有機色素を用いた光ディスクは、当該光ディスクに対してスペースを形成するのに必要なスペース形成パワーＰｓを設定するためのパラメータεpsと、バイアスパワーＰｂｗを設定するためのパラメータεbwとを格納している。そして、パラメータεps及びパラメータεbwは、εps≦εbwが成り立つパラメータである。このように、光ディスクに当該光ディスク用のパラメータを格納しておけば、どのような光ディスク記録再生装置においても適切な記録を実施することができるようになる。
【００１５】
なお、上で述べたパラメータεps及びパラメータεbwが、一倍速記録の二倍速以上の記録速度において用いられるパラメータである場合もある。
【００１６】
さらに、上で述べたパラメータεps及びパラメータεbwが、光ディスクにマークを形成するのに必要なマーク形成パワーＰｗに乗じられるパラメータである場合もある。光ディスク記録再生装置によっては、Ｐｓ＝Ｐｗ×εps、Ｐｂｗ＝Ｐｗ×εbwとしか調整できない場合もあり、本願ではこのような制限的な場合にも対処することができる。
【００１７】
本発明の第４の態様に係る光ディスク記録方法は、書き込みを行う対象の光ディスクが有機色素を用いた光ディスクであるか判断するステップと、当該光ディスクが有機色素を用いた光ディスクであると判断され且つ記録速度が１倍である場合には、１倍速記録におけるスペース形成に必要なスペース形成パワーＰｓ1及び１倍速記録におけるバイアスパワーＰｂｗ1を用いてデータ記録を行うステップと、当該光ディスクが有機色素を用いた光ディスクであると判断され且つ記録速度が１倍速記録の２倍以上である場合には、当該記録速度におけるスペース形成に必要なスペース形成パワーＰｓ2及び当該記録速度におけるバイアスパワーＰｂｗ2を用いてデータ記録を行うステップとを含む。そして、Ｐｓ1／Ｐｂｗ1＞Ｐｓ2／Ｐｂｗ2が成り立つようにＰｓ1、Ｐｂｗ1、Ｐｓ2及びＰｂｗ2が設定されるものである。本願発明者の非自明な知見によれば、上記条件を満たす場合には、アシンメトリ値やβ値とメインパワーＰｗとの関係が好ましい直線で表されるようになる。従って、アシンメトリ値やβ値を評価指標としてメインパワーＰｗの制御を行うことができ、外乱などに容易に対処することができるようになる。すなわち、適切なデータ記録を有機色素を用いた光ディスクに対しても実施することができるようになる。
【００１８】
本発明の第５の態様に係る光ディスク記録再生装置は、書き込みを行う対象の光ディスクが有機色素を用いた光ディスクであるか判断する手段と、光ディスクが有機色素を用いた光ディスクであると判断された場合には、１倍速記録におけるスペース形成に必要なスペース形成パワーＰｓ1と、１倍速記録におけるバイアスパワーＰｂｗ1と、１倍速記録の２倍速以上の記録におけるスペース形成に必要なスペース形成パワーＰｓ2と、１倍速記録の２倍速以上の記録におけるバイアスパワーＰｂｗ2とを、Ｐｓ1／Ｐｂｗ1＞Ｐｓ2／Ｐｂｗ2が成り立つように制御する制御手段とを有する。これらのパワーを設定するためのパラメータについては、光ディスク記録再生装置のメモリに格納されている場合もある。
【００１９】
本発明の第６の態様に係る有機色素を用いた光ディスクは、１倍速記録におけるスペース形成に必要なスペース形成パワーＰｓ1を設定するためのパラメータεps1と、１倍速記録におけるバイアスパワーＰｂｗ1を設定するためのパラメータεbw1と、１倍速記録の２倍速以上の記録におけるスペース形成に必要なスペース形成パワーＰｓ2を設定するためのパラメータεps2と、１倍速記録の２倍速以上の記録におけるバイアスパワーＰｂｗ2を設定するためのパラメータεbw2とを格納している。そして、パラメータεps1、εbw1、εps2及びεbw2が、εps1／εbw1＞εps2／εbw2が成り立つパラメータであるものとする。このように、光ディスクに当該光ディスク用のパラメータを格納しておけば、どのような光ディスク記録再生装置においても適切な記録を実施することができるようになる。
【００２０】
本発明の第７の態様に係る光ディスク記録方法は、書き込みを行う対象の光ディスクが有機色素を用いた光ディスクであるか判断するステップと、光ディスクが有機色素を用いた光ディスクであると判断され且つ記録速度が１倍である場合には、１倍速記録におけるバイアスパワーＰｂｗ1を用いてデータ記録を行うステップと、光ディスクが有機色素を用いた光ディスクであると判断され且つ記録速度が１倍速記録の２倍以上である場合には、当該記録速度におけるバイアスパワーＰｂｗ2を用いてデータ記録を行うステップとを含む。そして、Ｐｂｗ1＜Ｐｂｗ2が成り立つように上記Ｐｂｗ1及びＰｂｗ2が設定されるものである。本願発明者の非自明な知見によれば、上記条件を満たす場合には、アシンメトリ値やβ値とメインパワーＰｗとの関係が好ましい直線で表されるようになる。従って、アシンメトリ値やβ値を評価指標としてメインパワーＰｗの制御を行うことができ、外乱などに容易に対処することができるようになる。すなわち、適切なデータ記録を有機色素を用いた光ディスクに対しても実施することができるようになる。
【００２１】
本発明の第８の態様に係る光ディスク記録再生装置は、書き込みを行う対象の光ディスクが有機色素を用いた光ディスクであるか判断する手段と、光ディスクが有機色素を用いた光ディスクであると判断された場合には、１倍速記録におけるバイアスパワーＰｂｗ1と、１倍速記録の２倍速以上の記録におけるバイアスパワーＰｂｗ2とを、Ｐｂｗ1＜Ｐｂｗ2が成り立つように制御する制御手段とを有する。これらのパワーを設定するためのパラメータについては、光ディスク記録再生装置のメモリに格納されている場合もある。
【００２２】
本発明の第９の態様に係る有機色素を用いた光ディスクは、１倍速記録におけるバイアスパワーＰｂｗ1を設定するためのパラメータεbw1と、１倍速記録の２倍速以上の記録におけるバイアスパワーＰｂｗ2を設定するためのパラメータεbw2とを格納している。そして、上記パラメータεbw1及びεbw2が、εbw1＜εbw2が成り立つパラメータである。このように、光ディスクに当該光ディスク用のパラメータを格納しておけば、どのような光ディスク記録再生装置においても適切な記録を実施することができるようになる。
【００２３】
本発明の光ディスク記録方法をプロセッサに実行させるためのプログラムを作成することができ、当該プログラムは、例えばフレキシブル・ディスク、ＣＤ−ＲＯＭなどの光ディスク、光磁気ディスク、半導体メモリ、ハードディスク等の記憶媒体又は記憶装置若しくはプロセッサの不揮発性メモリに格納される。また、ネットワークを介してディジタル信号にて頒布される場合もある。なお、処理途中のデータについては、プロセッサのメモリ等の記憶装置に一時保管される。
【発明の効果】
【００２４】
本発明によれば、有機色素を用いた光ディスクに対して記録を行う際に、アシンメトリ値やβ値とメインパワーＰｗとの関係を適切な直線で表すことができるようになる。
【００２５】
また、本発明の他の側面によれば、有機色素を用いた光ディスクに対して記録を行う際に、アシンメトリ値やβ値とメインパワーＰｗとの関係を表す直線の線形性を保持させることができるようになる。
【図面の簡単な説明】
【００２６】
【図１】無機材料を用いた光ディスクのメインパワーＰｗとＤＣＪ及びアシンメトリ値との関係を表す図である。
【図２】従来のストラテジデータ等を用いて測定した場合における、有機色素を用いた光ディスクのメインパワーＰｗとＤＣＪ及びアシンメトリ値との関係を表す図である。
【図３】記録パワーの波形を説明するための図である。
【図４】バイアスパワーＰｂｗを上昇させた場合におけるメインパワーＰｗとアシンメトリ値との関係を表すカーブの改善度合いを示す図である。
【図５】バイアスパワーＰｂｗを変化させた場合におけるメインパワーＰｗとβ値との関係を説明するための図である。
【図６】メインパワーＰｗとβ値との関係を表す直線の傾き及び直線近似の精度について、εbwを変更した場合及びバイアスパワーＰｂｗを固定した場合を比較するための図である。
【図７】バイアスパワーＰｂｗを変化させた場合におけるメインパワーＰｗとＤＣＪとの関係を説明するための図である。
【図８】スペース形成パワーＰｓを下げた場合におけるメインパワーＰｗとβ値との関係を表す図である。
【図９】スペース形成パワーＰｓを下げた場合におけるメインパワーＰｗとＤＣＪとの関係を表す図である。
【図１０】１倍速記録でεbwを変更した場合におけるメインパワーＰｗとβ値との関係を表す図である。
【図１１】１倍速記録でεbwを変更した場合及びＰｂｗを固定した場合におけるメインパワーＰｗとβ値との関係を表す直線の傾き及び直線近似の精度を表す図である。
【図１２】１倍速記録でεbwを変更した場合におけるメインパワーＰｗとＤＣＪとの関係を表す図である。
【図１３】本発明の実施の形態における機能ブロック図である。
【図１４】本発明の実施の形態における処理フローを示す図である。
【図１５】光ディスクに格納されるデータ構造を示す図である。
【発明を実施するための形態】
【００２７】
［本発明の原理］
図３にマルチパルス型の記録パルス（Write Pulse）の波形を模式的に示す。図３において、スペース形成時には、スペース形成に必要な記録パワーであるスペース形成パワーＰｓが用いられ、マーク形成時には、メインパワーＰｗが用いられ、３Ｔ以上のマークでトップパルス以降の各パルスの間にはバイアスパワーＰｂｗが用いられ、マークの最後のパルスの後の下向きのパルスであるクーリングパルスにはクーリングパルスパワーＰｃが用いられる。本願発明者は、有機色素を用いた光ディスクであっても、バイアスパワーＰｂｗを図３に示すように従来より上昇させることによって、図４に示すようにアシンメトリ値とメインパワーＰｗとが線形性を有するようになることを非自明に見出した。特に、Ｐｂｗを、再生時のリードパワーReadPwより高くすることが好ましい。図４において、横軸はメインパワーＰｗを表し、左側の縦軸はＤＣＪ［％］を表し、右側の縦軸はアシンメトリ値を表す。改善前（バイアスパワーＰｂｗを従来のまま）の場合と改善後（バイアスパワーＰｂｗを上昇させる）の場合とでＤＣＪに大きな変化はなく、記録品位の劣化はほとんど見られないが、改善後であれば、メインパワーＰｗが上昇すると、アシンメトリ値が減少するという関係が表れるようになる。なお、無機材料の場合にはHigh-to-lowの極性であるから図１に示したような右上がりの直線が引けるのに対し、有機色素を用いた光ディスクの場合にはLow-to-highの極性となるので、右下がりの直線が引けるようになる。
【００２８】
より詳細なデータを図５に示す。ここでは、Ｐｂｗ＝Ｐｗ×εbwというように設定される場合におけるεbw＝０．２５４、εbw＝０．３３９、εbw＝０．４２４、εbw＝０．５０８の各場合における、β値とメインパワーＰｗの関係を表す。なお、β値は、ＲＦ信号をＡＣカップリングし、すなわちＲＦ信号の直流成分を除去してＧＮＤレベルを基準としたときに、最長記録マークＭ８Ｔの振幅とＧＮＤレベルとの差をａとし、最長スペースＳ８Ｔの振幅とＧＮＤレベルとの差をｂとすると、β＝（ａ−ｂ）／（ａ＋ｂ）と表される。図５から分かるように、いずれも場合も、β値とメインパワーＰｗとの関係は、ほぼ一次関数で近似できる。
【００２９】
さらに詳細なデータを図６に示す。図６において、横軸はεbw又はＰｂｗを表し、左の縦軸は棒グラフの目盛りを表しており且つ図５における各直線の傾きの絶対値を表しており、右の縦軸は折れ線グラフの目盛りを表しており且つ図５における各直線近似の精度σを表している。図６から分かるように、εbwを上昇させると直線の傾きが大きくなることが分かる。さらに、Ｐｂｗ＝３．０に固定した場合にはより大きな傾きを得ることができるようになる。傾きが大きいほど、β値の検出精度が低くても、記録パワーを適切な値に制御しやすくなるため、可能であればＰｂｗをＰｂｗ＝Ｐｗ×εbwではなく、固定値にする方が好ましい。特にＰｂｗ＝３．０固定の場合には直線近似の精度σも大きな値となるため、より好ましい。但し、光ディスク記録再生装置によってはこのような設定を行うことができない場合があるので、Ｐｂｗを固定することはこれ以上検討しないものとする。
【００３０】
一方、直線近似の精度σは、εbwが上昇すると悪くなることが分かる。これは、バイアスパワーＰｂｗが高くなりすぎると長いマークが強く記録されすぎて生ずる現象と考えられる。従って、このままでは直線近似の精度σのためεbwを大きくすることができず、直線の傾きを十分大きくできない。
【００３１】
なお、図７には、ＤＣＪとメインパワーＰｗの関係を示す。図７においては、横軸はメインパワーＰｗを表し、縦軸はＤＣＪを表す。εbwを変化させてもＤＣＪのカーブをほとんど変化しないようにでき（Ｔｍｐ、Ｔｌｐ（３Ｔ）の少なくとも一方を短くする必要はある）、εbwを上昇させる効果が大きいことが分かる。
【００３２】
ここで、本願発明者は、線形性（すなわち直線近似の精度σ）を改善する手法として、スペース形成パワーＰｓを通常より下げることを非自明に見出した。スペース形成パワーＰｓを通常より下げることによって、２Ｔマーク及び３Ｔ以降のトップパルスの書き始めを遅らせ、高メインパワーＰｗ時における熱バランスを改善する。
【００３３】
この効果を図８に示す。図８では、スペース形成パワーＰｓをεps×Ｐｗで算出する場合における、εps＝０．２５とεps＝０．２０の場合のメインパワーＰｗとβ値との関係を表す。なお、εbw＝０．５で、記録速度は２倍速である。図８においては、横軸がメインパワーＰｗを表し、縦軸はβを表す。図８からも分かるように、εps＝０．２０の方が、εps＝０．２５よりも、直線近似の精度（ここではＲ2）が向上し、傾きの値も大きくなっている。
【００３４】
また、図９に、メインパワーＰｗとＤＣＪの関係を示す。図９では、横軸はメインパワーＰｗを表し、縦軸はＤＣＪを表す。図９からも分かるように、εps＝０．２５の場合とεps＝０．２０とで多少ＤＣＪのカーブが異なっているが、大きな劣化は存在していないことが分かる。
【００３５】
以上のように、εbwを上昇させつつ、εpsを下げることが有効であることが分かる。これは、Ｐｂｗを上昇させつつ、Ｐｓを下げるということと同義である。
【００３６】
さらに、記録速度が１倍速であれば、Ｂｌｕ−ｒａｙ規格では、Ｐｂｗ＜Ｐｓということが規定されているが、２倍速以上の記録速度では、ＰｂｗとＰｓの関係は規定されていない。ここで、図８で示したケースにおいては、２倍速記録であって、Ｐｂｗ≧Ｐｓ及びεbw≧εpsという関係が成立していることも分かる。すなわち、記録速度が２倍速以上であれば、ＰｂｗとＰｓとの関係は１倍速の時とは全く逆の条件の方が好ましいことが分かる。
【００３７】
次に、記録速度が１倍速と２倍速との関係を考察する。図５乃至図９については２倍速の場合のデータを示した。なお、図５乃至図７において、ＤＣＪが最低となるＰｗ＝５．９ｍＷの場合、εbw＝０．２５４であればＰｂｗ＝１．５ｍＷであり、εbw＝０．３３９であればＰｂｗ＝２．０ｍＷであり、εbw＝０．４２４であればＰｂｗ＝２．５ｍＷであり、εbw＝０．５０８であればＰｂｗ＝３．０ｍＷである。また、図５乃至図７では、εps＝０．２５４で、Ｐｓ＝１．５ｍＷであり、εc＝０．０１７で、Ｐｃ＝０．１ｍＷである。
【００３８】
一方、記録速度が１倍速で、εps＝０．３３３、εc＝０．０２６の場合に、εbw＝０．３３３、εbw＝０．２５６、及びεbw＝０．１７９と変動させた場合におけるβ値とメインパワーＰｗの関係を図１０に示す。図１０において、横軸はメインパワーＰｗを表し、縦軸はβ値を表す。このように、いずれの場合もほぼ右下がりの直線近似できるカーブとなる。但し、εbw＝０．３３３の場合にはメインパワーＰｗが高い部分で線形性が損なわれているのが見て取れる。
【００３９】
このことは図１１からも分かる。図１１では、横軸はεbw及びＰｂｗを表し、左の縦軸は棒グラフの目盛りを表しており且つ図１０における直線の傾きの絶対値を表し、右の縦軸は折れ線グラフの目盛りを表しており且つ図１０における直線の近似精度σを表している。１倍速の場合には、２倍速の場合と異なり、εbwが大きくなり過ぎると傾きが小さくなり直線近似の精度σも悪くなってしまい、εbw＝０．２５６程度でないと採用できない。但し、Ｐｂｗ＝１．３ｍＷのようにＰｂｗを固定する方がよいのは２倍速の場合と同様である。
【００４０】
図１２に、ＤＣＪとメインパワーＰｗとの関係を表す。図１２において、横軸はメインパワーＰｗを表し、縦軸はＤＣＪ［％］を表す。図１２から分かるように、εbwが変動してもＤＣＪのカーブはほとんど変化がない。また、Ｐｗ＝３．９ｍＷの場合に最もＤＣＪが小さくなることが分かる。なお、Ｐｗ＝３．９ｍＷであれば、εbw＝０．１７９の場合Ｐｂｗ＝０．７ｍＷであり、εbw＝０．２５６の場合Ｐｂｗ＝１．０であり、εbw＝０．３３３の場合Ｐｂｗ＝１．３である。また、εps＝０．３３３であるから、Ｐｓ＝１．３ｍＷであり、εc＝０．０２６であるから、Ｐｃ＝０．１ｍＷである。
【００４１】
ここでＤＣＪが最も小さいＰｗであれば、１倍速の場合にはＰｓ1／Ｐｂｗ1＝１．３／１．０（εbw＝０．２５６の場合（線形性が許容できる範囲））＝１．３であるが、２倍速の場合にはＰｓ2／Ｐｂｗ2＝１．５／２．５（εbw＝０．４２４の場合（線形性が許容できる範囲））＝０．６となる。すなわち、Ｐｓ1／Ｐｂｗ1＞Ｐｓ2／Ｐｂｗ2が成り立つ。これは、１倍速ではＰｓ＞Ｐｂｗという要件が課されているが、２倍速以上では上で述べたようにＰｓ≦Ｐｂｗという条件が好ましいためである。同様に、εs1／εbw1＞εs2／εbw2も成り立つ。なお、εの添え字の数字は記録速度を表す。
【００４２】
なお、付言すれば、１倍速ではＰｓ＞Ｐｂｗという要件が課されているが、２倍速以上では上で述べたようにＰｓ≦Ｐｂｗという条件が好ましいため、Ｐｓが１倍速と２倍速とで多少異なるが、Ｐｂｗ1＜Ｐｂｗ2という関係も成り立つ。εbw1＜εbw2も成り立つ。
【００４３】
以上述べたように、εbw及びＰｂｗを上昇させ、可能な限りεps及びＰｓを下げることによって、ＤＣＪに対する影響を抑えつつ、アシンメトリ値又はβ値とメインパワーＰｗの関係がより線形的な直線で表すことができるようになる。
【００４４】
その際、２倍速以上の記録速度であれば、Ｐｓ≦Ｐｂｗであり、εps≦εbwが好ましい。なお、１倍速記録であれば、Ｐｓ＞ＰｂｗはＢｌｕ−ｒａｙ規格において規定されているが、この中でもＰｓを可能な限り下げることによって効果を得ることができる。
【００４５】
さらに、記録速度を考慮に入れれば、Ｐｓ1／Ｐｂｗ1＞Ｐｓ2／Ｐｂｗ2、εs1／εbw1＞εs2／εbw2、Ｐｂｗ1＜Ｐｂｗ2、εbw1＜εbw2が成り立つ場合に、効果がある。
【００４６】
［実施の形態］
本発明の実施の形態におけるドライブ・システムの機能ブロック図を図１３を用いて説明する。本発明の実施の形態に係るドライブ・システムは、光ディスク記録再生装置１００と、テレビ受像器などの表示部とリモートコントローラなどの操作部とを含む入出力システム（図示せず）とを含む。
【００４７】
光ディスク記録再生装置１００は、処理途中のデータ、処理結果のデータ、処理における参照データなどを格納するメモリ１２７と、以下で説明する処理を行わせるためのプログラムが記録されるメモリ回路１２６を含むＣＰＵ（中央演算装置：Central Processing Unit）などから構成される制御回路１２５と、入出力システムとのインターフェースであるインターフェース部（Ｉ／Ｆ）１２８と、再生信号であるＲＦ信号の最大振幅レベル又は最小振幅レベル等を検出する特性値検出部１２４と、再生信号であるＲＦ信号から２Ｔ乃至８Ｔ符号（例えばＢｌｕ-ｒａｙ規格の場合。Ｂｌｕ-ｒａｙ規格の場合同期符号の９Ｔも識別する。また、ＨＤ−ＤＶＤ規格の場合、２Ｔ乃至１１Ｔ符号と同期符号の１３Ｔを識別する。）のいずれが読み出されたかを復号するための処理などを行うデータ復調回路１２３と、ピックアップ部１１０と、制御回路１２５から出力される記録すべきデータに対して所定の変調を行い、レーザ・ダイオード（ＬＤ）ドライバ１２１に出力するデータ変調回路１２９と、ＬＤドライバ１２１と、光ディスク１５０の回転制御部及びモータ並びにピックアップ部１１０用のサーボ制御部（図示せず）等を含む。
【００４８】
また、ピックアップ部１１０は、対物レンズ１１４と、ビームスプリッタ１１６と、検出レンズ１１５と、コリメートレンズ１１３と、ＬＤ１１１と、フォトディテクタ（ＰＤ）１１２とを含む。ピックアップ部１１０では、図示しないサーボ制御部の制御に応じて図示しないアクチュエータが動作し、フォーカス及びトラッキングが行われる。
【００４９】
制御回路１２５は、メモリ１２７、特性値検出部１２４、Ｉ／Ｆ１２８、ＬＤドライバ１２１、データ変調回路１２９、図示しない回転制御部及びサーボ制御部などに接続されている。また、特性値検出部１２４は、ＰＤ１１２、制御回路１２５などに接続されている。ＬＤドライバ１２１は、データ変調回路１２９、制御回路１２５及びＬＤ１１１に接続されている。制御回路１２５は、Ｉ／Ｆ１２８を介して入出力システムにも接続されている。
【００５０】
次に、光ディスク１５０に対してデータを記録する場合における処理の概要を説明する。まず、制御回路１２５は、データ変調回路１２９に、光ディスク１５０に記録すべきデータに対して所定の変調処理を実施させ、データ変調回路１２９は変調処理後のデータをＬＤドライバ１２１に出力する。ＬＤドライバ１２１は、指定の記録条件（ストラテジ及びパラメータ）に従って、受信したデータでＬＤ１１１を駆動してレーザ光を出力させる。レーザ光は、コリメートレンズ１１３、ビームスプリッタ１１６、対物レンズ１１４を介してディスク１５０に照射され、光ディスク１５０にマークとスペースを形成する。
【００５１】
また、光ディスク１５０に記録されたデータを再生する場合における処理の概要を説明する。制御回路１２５からの指示に従ってＬＤドライバ１２１は、ＬＤ１１１を駆動してレーザ光を出力させる。レーザ光は、コリメートレンズ１１３、ビームスプリッタ１１６、対物レンズ１１４を介して光ディスク１５０に照射される。光ディスク１５０からの反射光は、対物レンズ１１４、ビームスプリッタ１１６、検出レンズ１１５を介してＰＤ１１２に入力される。ＰＤ１１２は、光ディスク１５０からの反射光を電気信号に変換し、特性値検出部１２４等に出力する。データ復調回路１２３等は、出力された再生信号に対して所定の復号処理を行い、復号されたデータを制御回路１２５及びＩ／Ｆ１２８を介して、入出力システムの表示部に出力して、再生データを表示させる。特性値検出部１２４は、通常の再生では用いられない。
【００５２】
次に、光ディスク記録再生装置１００の動作について図１４を用いて説明する。まず、制御回路１２５は、光ディスク１５０に記録されているメディアＩＤをＰＤ１１２及びデータ復調回路１２３によって再生し、予めメモリ１２７に登録された、有機色素を用いた光ディスクのメディアＩＤと比較することによって、又は光ディスク１５０の反射率等のデータを特性値検出部１２４等によって取得し、当該反射率が所定の値となっているか否かを判断することによって、今回データ記録を実施する対象の光ディスク１５０が有機色素を用いた光ディスクであるかを判断する（ステップＳ１）。有機色素を用いた光ディスクではない場合には、本実施の形態に係る処理ではなく通常の処理を実施し（ステップＳ２１）、処理を終了する。
【００５３】
一方、有機色素を用いた光ディスクであると判断された場合には、制御回路１２５は、Ｉ／Ｆ１２８を介して入力された、ユーザからの指示等に基づき、記録速度が２倍速以上であるか判断する（ステップＳ３）。２倍速以上でデータ記録を行う場合には、制御回路１２５は、例えばメモリ１２７又は光ディスク１５０からεps及びεbw（発明の原理の欄で述べたようにεps≦εbwという関係を有する所定の値）を含むパラメータ及び各種ストラテジデータを読み出し（ステップＳ５）、当該パラメータ及び各種ストラテジデータを初期設定する（ステップＳ７）。メインパワーＰｗに依存するスペース形成パワーＰｓ、バイアスパワーＰｂｗなどのパワーの値については、メインパワーＰｗの初期値に基づきＬＤドライバ１２１等に対して初期設定する。なお、１倍速のためのパラメータについては、ここでは用いられない。
【００５４】
そして、メインパワーＰｗを最適化する周知の処理を実施する（ステップＳ９）。なお、この際特性値検出部１２４は、アシンメトリ値又はβ値を算出するための特性値を検出し、制御回路１２５に出力する。そして、メインパワーＰｗが最適化されると、制御回路１２５は、最適化されたメインパワーＰｗに応じたスペース形成パワーＰｓやバイアスパワーＰｂｗ（発明の原理の欄で述べたようにＰｓ≦Ｐｂｗ）等をＬＤドライバ１２１等に設定してデータ記録を実施する（ステップＳ１１）。
【００５５】
このような処理を実施することによって、発明の原理の欄で述べたような効果を得ることができ、さらにＷＯＰＣ等においてもメインパワーＰｗの制御を適切に行うことができるようになる。
【００５６】
一方、１倍速でデータ記録を実施する場合には、制御回路１２５は、例えばメモリ１２７又は光ディスク１５０からεps及びεbw（発明の原理の欄で述べたようにεps＞εbwという関係を有する所定の値。但し、εpsは可能な限り小さい値。）を含むパラメータ及び各種ストラテジデータを読み出し（ステップＳ１３）、当該パラメータ及び各種ストラテジデータを初期設定する（ステップＳ１５）。メインパワーＰｗに依存するスペース形成パワーＰｓ、バイアスパワーＰｂｗなどのパワーの値については、メインパワーＰｗの初期値に基づきＬＤドライバ１２１等に対して初期設定する。なお、２倍速のためのパラメータについては、ここでは用いられない。
【００５７】
そして、メインパワーＰｗを最適化する周知の処理を実施する（ステップＳ１７）。なお、この際特性値検出部１２４は、アシンメトリ値又はβ値を算出するための特性値を検出し、制御回路１２５に出力する。そして、メインパワーＰｗが最適化されると、制御回路１２５は、最適化されたメインパワーＰｗに応じたスペース形成パワーＰｓやバイアスパワーＰｂｗ（発明の原理の欄で述べたようにＰｓ＞Ｐｂｗ。但し、Ｐｓは可能な限り小さい値。）等をＬＤドライバ１２１等に設定してデータ記録を実施する（ステップＳ１９）。
【００５８】
このような処理を実施することによって、発明の原理の欄で述べたような効果を得ることができ、さらにＷＯＰＣ等においてもメインパワーＰｗの制御を適切に行うことができるようになる。
【００５９】
なお、１倍速記録及び２倍速以上の記録速度用のεps及びεbwは、メモリ１２７に格納される場合もあれば、光ディスク１５０に格納される場合もある。光ディスク１５０に保持させる場合には、図１５に示すようなＬｅａｄ−ｉｎ領域の中に保持しておく。Ｌｅａｄ−ｉｎ領域は、システムＬｅａｄ−ｉｎ領域と、コネクション領域と、データＬｅａｄ−ｉｎ領域とに大きく分かれており、システムＬｅａｄ−ｉｎ領域は、イニシャル・ゾーン、バッファ・ゾーン、コントロールデータ・ゾーン、バッファ・ゾーンを含む。また、コネクション領域は、コネクション・ゾーンを含む。さらに、データＬｅａｄ−ｉｎ領域は、ガードトラック・ゾーン、ディスクテスト・ゾーン、ドライブテスト・ゾーン、ガードトラック・ゾーン、ＲＭＤデュープリケーション・ゾーン、レコーディングマネジメント・ゾーン、Ｒ−フィジカルフォーマットインフォメーション・ゾーン、リファレンスコード・ゾーンを含む。本実施の形態では、システムＬｅａｄ−ｉｎ領域のコントロールデータ・ゾーンに、レコーディングコンディションデータ・ゾーン１７０を含むようにする。例えば、レコーディングコンディションデータ・ゾーン１７０に、εps及びεbwなどを保持しておく。
【００６０】
以上本発明の実施の形態を説明したが、本発明はこれに限定されるものではない。例えば、図１３の機能ブロック図は、実施の形態を説明するために示したもので、必ずしも実際の回路やモジュール構成と一致しない場合もある。また、処理フローについても処理結果が同じであれば処理順番を入れ替えたり、並列に実行するようにしても良い。
【００６１】
なお、発明の原理の欄において述べたような手法だけではなく他の手法を採用しても、アシンメトリ値又はβ値とメインパワーＰｗの関係を表す直線の傾きを大きくし且つ線形性を高めることができる。例えば、短いマーク（例えば２Ｔ、３Ｔ、４Ｔなど）についてのみトップパルス長Ｔｔｏｐを長くするという手法や、３Ｔのみ又は４Ｔ以上の符号についてラストパルス長Ｔｌｐを長くするという手法、Ｔｔｏｐを短くすることによって、低Ｐｓ化と同様に短いマークを書きにくくすることによって、Ｐｗ変動時のβの傾きを大きくする手法も有効であると考えられる。これは、Ｉ８Ｈ変動に対する影響の少ない短いマークのメインパワーＰｗ寄与度を高め、ＲＦ信号の平均レベルの変動をＩ８Ｈ変動より、より大きくすることによって、メインパワーＰｗが小さい場合にはβ値が上がり、メインパワーＰｗが大きい場合にはβ値が下がるため、傾きが大きくなるはずだからである。
【符号の説明】
【００６２】
１００  光ディスク記録再生装置
１１０  ピックアップ部    １１１  ＬＤ  
１１２  ＰＤ    １１３  コリメートレンズ
１１４  対物レンズ    １１５  検出レンズ
１１６  ビームスプリッタ    １２１  ＬＤドライバ
１２３  データ復調回路    １２４  特性値検出部
１２５  制御回路    １２６  メモリ回路
１２７  メモリ    １２８  Ｉ／Ｆ    １２９  データ変調回路
１５０  光ディスク
【図１】
2009245592.tif 000003
【図２】
2009245592.tif 000004
【図３】
2009245592.tif 000005
【図４】
2009245592.tif 000006
【図５】
2009245592.tif 000007
【図６】
2009245592.tif 000008
【図７】
2009245592.tif 000009
【図８】
2009245592.tif 000010
【図９】
2009245592.tif 000011
【図１０】
2009245592.tif 000012
【図１１】
2009245592.tif 000013
【図１２】
2009245592.tif 000014
【図１３】
2009245592.tif 000015
【図１４】
2009245592.tif 000016
【図１５】
2009245592.tif 000017